(57)【要約】【課題】洗剤液の使用量を最小限に抑えることができるとともに、常に、便器本体の内面を清浄に保つことのできる水洗便器装置を提供する。【解決手段】便座２に着座センサー４を備えた水洗便器において、使用者の着座を検知して直ちに所定量の防汚剤９を便器本体１の内面に噴出する防汚剤噴出部を備え、噴出された防汚剤９が上記内面をコーティングして便の付着を防止するとともに、使用者の離座を検知すると洗浄水が噴出し、便器本体１の内面を洗浄するようにされた水洗便器装置Ａ。上記防汚剤噴出部が使用者の局部を洗浄するための局部洗浄装置６に収められた防汚剤噴出ノズル５１であり、便器本体１の内面の所定個所に噴出するようにされる。【選択図】図２
2008308861.tif 000002
【特許請求の範囲】
【請求項１】
便座に着座センサーを備えた水洗便器において、使用者の着座を検知して直ちに所定量の防汚剤を便器本体の内面に噴出する防汚剤噴出部を備え、噴出された防汚剤が上記内面をコーティングして便の付着を防止するとともに、使用者の離座を検知すると洗浄水が噴出し、便器本体の内面を洗浄するようにされた水洗便器装置。
【請求項２】
上記防汚剤噴出部が使用者の局部を洗浄するための局部洗浄装置に収められた防汚剤噴出ノズルであり、便器本体の内面の所定個所に噴出するようにされた請求項１に記載の水洗便器装置。
【請求項３】
上記防汚剤噴出部が便器を洗浄する洗浄水の吐出部に設けられた防汚剤噴出ノズルである請求項１に記載の水洗便器装置。
【請求項４】
上記防汚剤が洗剤液である請求項１に記載の水洗便器装置。
【発明の詳細な説明】
【技術分野】
【０００１】
本発明は、水洗便器に関する。さらに詳しくは、便器本体の内面への便の付着防止や、あるいは消臭のための防汚機能が付与された水洗便器装置に関する。
【背景技術】
【０００２】
近年、清潔志向の高まりを受けて、水洗便器の内面を乾いた状態とせず、濡らした状態として便等の付着を防止し、あるいは、便が付着しても簡単に洗浄して便器本体を清浄に保つように工夫された水洗便器が普及しつつある。例えば、下記特許文献１には、洗剤液および洗浄水によって便器本体の内面略全体を洗浄できるようにした水洗便器が提案されている。
【０００３】
すなわち、便器本体の内面略全体に洗浄水を吐出流水させる洗浄水吐出部と、該洗浄水吐出部へ洗浄水を供給する給水通路と、を同便器本体に形成してなる水洗便器であって、洗剤液を溜める洗剤タンクを便器本体に付設し、該洗剤タンクから供給される洗剤液を前記給水通路内に流入させる洗剤流入部を同給水通路に設けてなる水洗便器が提案されている。
【０００４】
そして、その効果として、洗剤液による給水通路あるいは、洗浄水吐出部の詰まりが防止されて、便器本体の内面略全体は効率よく洗浄され、しかも、給水通路および洗浄水吐出部が共用されることによって、便器本体の製造コストを低廉化することが可能となり、施工の簡略化を図ることもできると記載されている。
【特許文献１】特開２０００−１８９２号公報（第１〜４頁、第１、第２図）
【発明の開示】
【発明が解決しようとする課題】
【０００５】
上記特許文献１に記載の水洗便器においては、洗剤タンクから供給される洗剤液を給水通路内に流入させ、洗浄水と共に便器本体内に流して、汚物の排出と便器本体の内面略全体の洗浄とが同時に行われている。したがって、洗浄水中に多量の洗剤液を混合し、希釈して用いなければならず、経済的ではないという問題がある。
【０００６】
本発明は、このような問題を解決して、洗剤液の使用量を最小限に抑えることができるとともに、常に、便器本体の内面を清浄に保つことが可能な水洗便器装置を提供することを、その課題とする。
【課題を解決するための手段】
【０００７】
上記課題を解決するために、本発明においては、つぎのような技術的手段を講じている。すなわち、請求項１に記載の発明によれば、便座に着座センサーを備えた水洗便器において、使用者の着座を検知して直ちに所定量の防汚剤を便器本体の内面に噴出する防汚剤噴出部を備え、噴出された防汚剤が上記内面をコーティングして便の付着を防止するとともに、使用者の離座を検知すると洗浄水が噴出し、便器本体の内面を洗浄するようにされた水洗便器装置が提供される。
【０００８】
請求項２に記載の水洗便器装置は、請求項１に記載の発明に加えて、上記防汚剤噴出部が使用者の局部を洗浄するための局部洗浄装置に収められた防汚剤噴出ノズルであり、便器本体の内面の所定個所に噴出するようにされる。
【０００９】
請求項３に記載の水洗便器装置は、請求項１に記載の発明に加えて、上記防汚剤噴出部が便器を洗浄する洗浄水の吐出部に設けられた防汚剤噴出ノズルとされる。
【００１０】
請求項４に記載の水洗便器装置は、請求項１に記載の発明に加えて、上記防汚剤がトイレ掃除用の洗剤液とされる。
【発明の効果】
【００１１】
請求項１に記載の発明にかかる水洗便器装置は上記のとおりであり、便座に設けられた着座センサーが使用者の着座を検知して直ちに所定量の防汚剤を便器本体の内面に噴出する防汚剤噴出部を備えているため、防汚剤の噴出量を便の付着を防止する程度の少量として上記内面を濡らし、コーティングすることにより、便は、便器本体の内面に付着することなく便器本体の排水口にスムースに滑り落ち、清浄に保つことができる。用を済ませた後、着座センサーは使用者離座を検知して、洗浄水流出制御ユニットが作動することにより、便器本体に洗浄水が吐出され、汚物を簡単に排出することができる。
【００１２】
請求項２に記載の水洗便器装置は上記のとおりであり、請求項１の水洗便器装置の有する効果に加え、上記防汚剤噴出部を使用者の局部を洗浄するための局部洗浄装置に収められた防汚剤噴出ノズルとすることにより、便器本体の内面の比較的便の付着し易いとみられる所定個所に噴出され、予め、その個所を濡らし、コーティングするため、便は、便器本体の内面に付着することなく便器本体の排水口にスムースに滑り落ち、清浄に保つことができる。
【００１３】
請求項３に記載の水洗便器装置は上記のとおりであり、請求項１の水洗便器装置の有する効果に加え、上記防汚剤噴出部を便器を洗浄する洗浄水の吐出部に設けられた防汚剤噴出ノズルとすることにより、予め、防汚剤が洗浄水と混合、希釈され、上記洗浄水吐出部からリム通水路を経て洗浄水噴出口からプレ噴出し、便器本体の内面を濡らし、コーティングするため、便は、便器本体の内面に付着することなく便器本体の排水口にスムースに滑り落ち、清浄に保つことができる。
【００１４】
請求項４に記載の水洗便器装置は上記のとおりであり、請求項１の水洗便器装置の有する効果に加え、防汚剤を洗剤液とすることにより、例えば消臭機能、芳香機能を有する洗剤液を用いることにより、上記便の付着防止機能に加えて消臭機能をも付与することができる。
【発明を実施するための最良の形態】
【００１５】
以下、本発明の実施形態について図面を参照して詳細に説明する。図１は、本発明の第１実施形態にかかる水洗便器装置Ａを示す外観斜視図である。図１に示すように、便器本体１は陶器製あるいは合成樹脂で一体成形されたものであり、その内面底部には排水口１１を有している。便器本体１の上端開口上には、暖房機能を有する便座２と、この便座２上には、便座２を含む開口部を開閉する便蓋１２とが付設され、上記便座２と便蓋１２とは共に、カバーケース３に枢着されている。
【００１６】
上記カバーケース３は合成樹脂製で、閉じられた便蓋１２と同じ高さで略面一に連続する上面、および便器本体１の後部外形状と略連続する外周面とを有している。また、上記便座２の後部には着座センサー４が設けられ、この着座センサー４は使用者の着座を検知すると防汚剤噴出ノズル５１から少量の防汚剤９を自動的に噴出させ、使用前の便器本体１の内面を濡らす。
【００１７】
図２は、上記水洗便器装置Ａの要部を示す部分断面側面図である。図２に示すように上記便器本体１の開口縁内周には、リム通水路１３が内設されるとともに、このリム通水路１３の底部には、間隔をおいて洗浄水噴出口１３１が設けられ、この洗浄水吐出口１３１から洗浄水が勢いよく噴出して汚物を排出させる。カバーケース３の内部には局部洗浄装置６が設けられ、この局部洗浄装置６には局部洗浄用ノズルとは別に上記した防汚剤噴出ノズル５１が伸縮自在に収められている。また、着座センサー４が使用者の着座を検知すると、直ちに防汚剤噴出ノズル５１から少量の防汚剤を噴出するように制御する制御手段Ｃ１が収められている。
【００１８】
図３は、上記着座センサー４が使用者の着座を検知し、制御手段Ｃ１が防汚剤噴出ノズル５１を伸長させるとともに、上記防汚剤噴出ノズル５１から防汚剤９を自動的に噴出させる構成を示す説明図である。図３に示すように、着座センサー４は使用者の着座を検知すると、直ちに、着座信号Ｓ１を制御手段Ｃ１に発信する。制御手段Ｃ１は上記着座信号Ｓ１を受け、予め入力された時間、たとえば、１〜１０秒の間の短時間、防汚剤用電磁弁８１を開とするように、弁開放信号Ｓ２を発信する。弁開放信号Ｓ２を受けた防汚剤用電磁弁８１は、上記の間の所定時間、弁を開く。この間に伸長した防汚剤噴出ノズル５１に送られた防汚剤９は、便器本体１の内面の比較的便の付着し易いとみられる個所に噴出され、その個所を濡らし、コーティングする。
【００１９】
このようにして、便器本体１の内面の所定個所に予め、防汚剤９を噴出させ、濡らし、コーティングすることにより、便は、上記内面に付着することなく便器本体１の排水口１１にスムースに滑り落ち、便器本体１の内面を清浄に保つことができる。用を済ませた後、着座センサー４は使用者離座を検知し、別途設けられた洗浄水流出制御ユニットが作動して、図外洗浄水配管から便器本体１の上記リム通水路１３に洗浄水が吐出され汚物を排出する。
【００２０】
図４は、本発明の第２実施形態にかかる水洗便器装置Ｂの要部を示す部分断面側面図である。図４に示すように、本実施形態においては、防汚剤噴出部としての防汚剤噴出ノズル５２が便器洗浄水配管７からの洗浄水が吐出する洗浄水吐出部７１に設けられている。
【００２１】
図５は、第２実施形態において上記着座センサー４が使用者の着座を検知し、制御手段Ｃ２が防汚剤噴出ノズル５２から防汚剤９を自動的に噴出させる構成を示す説明図である。図５に示すように、着座センサー４が使用者の着座を検知すると直ちに、着座信号Ｓ１を制御手段Ｃ２に発信する。制御手段Ｃ２は上記着座信号Ｓ１を受け、予め入力された時間、たとえば、１〜１０秒の間の短時間、防汚剤用電磁弁８２を開とするように、弁開放信号Ｓ２を発信する。同時に洗浄水配管７に設けられた洗浄水用電磁弁８３を所定時間、開とするように弁開放信号Ｓ３を発信する。上記弁開放信号Ｓ２を受けた防汚剤用電磁弁８２は１〜１０秒の間の所定時間開放され、少量の防汚剤９が上記した洗浄水吐出部７１に吐出される。
【００２２】
同時に、上記弁開放信号Ｓ３を受けた洗浄水用電磁弁８３は所定時間開放され、洗浄水を吐出するとともに、図４に示すように、上記防汚剤９は洗浄水と混合し、希釈されて洗浄水吐出部７１から、リム通水路１３に送られる。そして、リム通水路１３の底部に間隔をおいて設けられた洗浄水噴出口１３１から洗浄水で希釈された防汚剤９が噴出して便器本体１の内面を濡らし、コーティングする。
【００２３】
図６は、第２実施形態にかかる便器本体１の内面を洗浄水で希釈された防汚剤９が洗浄水噴出口１３１から短時間噴出する状態を示す平面図である。図６に示すように、本実施形態においては、便器本体１の内面の全体が濡らされ、コーティングされる。このように、便器本体１の内面に希釈された防汚剤９を噴出させ、濡らし、コーティングすることにより、便は、上記内面に付着することなく便器本体１の排水口１１にスムースに滑り落ち、清浄に保つことができる。
【００２４】
用を済ませた後、着座センサー４は使用者離座を検知し、別途設けられた洗浄水流出制御ユニットが作動して、洗浄水配管７から便器本体１のリム通水路１３に洗浄水が流れて汚物を排出させる。このように、本発明の水洗便器装置を用いることにより、洗剤液の使用量を最小限に抑えることができるとともに、常に、便器本体１の内面を清浄に保つことができる。
【図面の簡単な説明】
【００２５】
【図１】本発明の第１実施形態にかかる水洗便器装置を示す外観斜視図である。
【図２】本発明の第１実施形態にかかる水洗便器装置の要部を示す部分断面側面図である。
【図３】本発明の第１実施形態にかかる水洗便器装置が使用者の着座を検知し、防汚剤を自動的に噴出させる構成を示す説明図である。
【図４】本発明の第２実施形態にかかる水洗便器装置の要部を示す部分断面側面図である。
【図５】本発明の第２実施形態にかかる水洗便器装置が使用者の着座を検知し、防汚剤を自動的に噴出させる構成を示す説明図である。
【図６】本発明の第２実施形態にかかる水洗便器装置の便器本体内面を洗浄水で希釈した防汚剤が濡らす状態を示す平面図である。
【符号の説明】
【００２６】
Ａ          第１実施形態にかかる水洗便器装置
Ｃ１        第１実施形態にかかる制御手段
１          便器本体
１１        排水口
１２        便蓋
１３        リム通水路
１３１      洗浄水噴出口
２          便座
３          カバーケース
４          着座センサー
５１        防汚剤噴出ノズル
６          局部洗浄装置
８１        防汚剤用電磁弁
Ｂ          第２実施形態にかかる水洗便器装置
Ｃ２        第２実施形態にかかる制御手段
５２        防汚剤噴出ノズル
７          便器洗浄水配管
７１        洗浄水吐出部
８２        防汚剤用電磁弁
８３        洗浄水用電磁弁
９          防汚剤
【図１】
2008308861.tif 000003
【図２】
2008308861.tif 000004
【図３】
2008308861.tif 000005
【図４】
2008308861.tif 000006
【図５】
2008308861.tif 000007
【図６】
2008308861.tif 000008